(57)【特許請求の範囲】
【請求項１】
長尺な板形状を有し、前記長尺な板形状の短手方向である横方向に並べられた複数の基台と、
前記複数の基台のそれぞれに対応して設けられ、それぞれ個別に布団類が掛けられる複数の布団掛け棒と、
前記横方向に延び、前記複数の基台を下方から支持する複数の支持棒と、
前記複数の基台のうちの少なくとも２つの基台の下面に設けられた複数の車輪と、を備え、
前記複数の布団掛け棒のそれぞれは、両端のみが対応する基台の上面に固定されてコの字状に立設され、前記コの字により構成される面が互いに対向するように配置され、
前記複数の基台のうちの少なくとも１つは、前記横方向に前記複数の支持棒に対してスライド自在となっているスライド基台である
布団類収納装置。
【請求項２】
前記スライド基台は、前記複数の支持棒のうちの１つの支持棒上を転がる少なくとも１つの転がり部材を介して、前記１つの支持棒に支持される
請求項１に記載の布団類収納装置。
【請求項３】
前記転がり部材は、スライド用車輪である
請求項２に記載の布団類収納装置。
【請求項４】
前記スライド基台は、前記複数の支持棒のうちの１つの支持棒上を移動する２つのスライド用車輪を介して、前記１つの支持棒に支持される
請求項３に記載の布団類収納装置。
【請求項５】
前記２つのスライド用車輪は、前記スライド基台を上面視したときに、前記スライド基台を前記横方向に二等分する仮想線に対して対称に設けられる
請求項４に記載の布団類収納装置。
【請求項６】
前記スライド基台は、
前記複数の支持棒のうちの１つの支持棒上を移動する少なくとも１つのスライド用車輪を介して、前記１つの支持棒に支持され、
前記複数の支持棒のうちの他の１つの支持棒上を移動する少なくとも１つのスライド用車輪を介して、前記他の１つの支持棒に支持される
請求項３〜５のいずれか１項に記載の布団類収納装置。
【請求項７】
前記複数の基台のうち、前記横方向における両端部に位置する２つの基台は、スライド自在となっていない固定基台であり、前記横方向における前記２つの基台の間に位置する基台は、前記スライド基台である
請求項１〜６のいずれか１項に記載の布団類収納装置。
【請求項８】
前記布団類収納装置は、さらに、前記複数の布団掛け棒のうちの少なくとも１つの布団掛け棒における前記コの字によって囲まれた空間に紫外線を照射する紫外線発生器を備える
請求項１〜７のいずれか１項に記載の布団類収納装置。
【請求項９】
前記紫外線発生器は、前記複数の基台のうちの少なくとも１つの基台の上面に設けられる
請求項８に記載の布団類収納装置。
【請求項１０】
前記布団類収納装置は、前記複数の布団掛け棒のそれぞれに対応するように前記紫外線発生器を複数備え、
前記複数の紫外線発生器は、それぞれ、対応する布団掛け棒における前記コの字によって囲まれた空間に紫外線を照射する
請求項８又は９に記載の布団類収納装置。
【請求項１１】
前記紫外線発生器は、タイマーにより自動でオン又はオフする機能を有する
請求項８〜１０のいずれか１項に記載の布団類収納装置。
【発明の詳細な説明】
【技術分野】
【０００１】
本発明は、可搬型の布団類収納装置に関する。
【背景技術】
【０００２】
押し入れ又はクローゼット等に布団類を収納する際に、一般的には、個々の布団類を幾重かに折り畳んで積み重ねて収納することが多い。この場合、布団類はある程度の重量を有するため、布団類を押し入れ等から取り出して干したり、押し入れ等に収納したりするのに手間がかかる。また、折り畳んで積み重ねられた布団類周辺の通気性が悪く、湿気が溜まりカビが生える等、不衛生となる場合がある。
【０００３】
特許文献１には、支持台上に門形状に形成された複数の支持棒を、間隔を開けて起立させ、支持台の下面に脚輪が取り付けられた布団収納器具が開示されている。このような布団収納器具によれば、支持棒に布団類を掛けることで、通気性の良い状態を維持したまま布団類を保持することができ、また、脚輪が取り付けられているため、布団類を支持棒に掛けたまま、布団収納器具をそのまま押し入れ等に入れたり出したりすることができる。
【先行技術文献】
【特許文献】
【０００４】
【特許文献１】実開昭６２−５４６９６号公報
【発明の概要】
【発明が解決しようとする課題】
【０００５】
ところで、布団類には、様々な厚みのものが存在する。例えば、特許文献１に開示された布団収納器具では、複数の支持棒の間隔は基本的には固定であり、ある支持棒に厚い布団類が掛けられる場合、支持棒間の間隔が狭く、当該厚い布団類を支持棒に掛けるのに手間がかかったり、そもそも当該厚い布団を支持棒に掛けるスペースがなかったりするときがある。また、当該厚い布団類と、隣の支持棒に掛けられた布団類との間の通気性を十分に確保できないおそれもある。例えば、様々な厚みの布団類に対応できるよう、複数の支持棒の間隔を予め広くしておくことも考えられるが、この場合、布団収納器具に掛けられる布団類の数が減ってしまう。
【０００６】
なお、特許文献１には、支持棒が弾力を有している布団収納器具についても開示されており、支持棒の弾力を利用して、支持棒の支持台への取り付け位置を調整することが開示されている。しかし、布団類はある程度の重量を有しており、支持棒はこの重量に十分耐える強度（硬さ）を有している必要がある。このため、支持棒の支持台への取り付け位置の調整のために、硬い支持棒の形状を変形させるためには、ある程度の力が必要になり、手軽に複数の支持棒の間隔を調整するのが難しくなっている。このように、状況に応じて様々な厚みの布団類を支持棒へ掛けて収納するのに手間がかかるという問題がある。
【０００７】
そこで、本発明は、様々な厚みの布団類を容易に収納できる布団類収納装置を提供する。
【課題を解決するための手段】
【０００８】
本発明の一態様に係る布団類収納装置は、長尺な板形状を有し、前記長尺な板形状の短手方向である横方向に並べられた複数の基台と、前記複数の基台のそれぞれに対応して設けられた複数の布団掛け棒と、前記横方向に延び、前記複数の基台を下方から支持する複数の支持棒と、前記複数の基台のうちの少なくとも２つの基台の下面に設けられた複数の車輪と、を備え、前記複数の布団掛け棒のそれぞれは、対応する基台の上面からコの字状に立設され、前記コの字により構成される面が互いに対向するように配置され、前記複数の基台のうちの少なくとも１つは、前記横方向にスライド自在となっているスライド基台である。
【発明の効果】
【０００９】
本発明の布団類収納装置によれば、様々な厚みの布団類を容易に収納できる。
【図面の簡単な説明】
【００１０】
【図１】実施の形態に係る布団類収納装置の構成の一例を示す斜視図である。
【図２】実施の形態に係る布団類収納装置の構成の一例を示す上面図である。
【図３】実施の形態に係る布団類収納装置が押し入れに収納された状態を示す図である。
【図４Ａ】実施の形態に係るスライド用車輪の構成の一例を示す上面図である。
【図４Ｂ】実施の形態に係るスライド用車輪の構成の一例を示す側面図である。
【図５】実施の形態に係る布団類収納装置の使用状態を説明するための側面図である。
【図６】実施の形態の変形例に係る布団類収納装置の構成の一例を示す斜視図である。
【発明を実施するための形態】
【００１１】
以下では、本発明の実施の形態について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態）
以下、実施の形態について、図１から図６を用いて説明する。
【００１４】
図１は、実施の形態に係る布団類収納装置１の構成の一例を示す斜視図である。
【００１５】
図２は、実施の形態に係る布団類収納装置１の構成の一例を示す上面図である。なお、以下では、奥行方向をＸ軸方向とし、左右方向をＹ軸方向とし、上下方向をＺ軸方向とする。なお、以下では、Ｙ軸方向のことを横方向とも呼ぶ。Ｘ軸、Ｙ軸及びＺ軸は、互いに直交している。また、以下では、上面図をＺ軸プラス方向から見た図とし、側面図をＹ軸プラス方向から見た図とする。また、図２には、布団類収納装置１をＺ軸プラス方向から見たときには見えないスライド用車輪２２１等（後述する図４Ａ及び図４Ｂ参照）を破線で示している。
【００１６】
布団類収納装置１は、布団類を押し入れ又はクローゼット等（以下押し入れ等ともいう）に収納するために用いられる装置であり、布団類収納装置１自体も押し入れ等に収納される。布団類とは、例えば、敷布団、掛け布団、毛布又はシーツ等のことである。布団類収納装置１は、複数の布団掛け棒１０と、複数の基台２０と、複数の支持棒２５と、複数の車輪２６とを備える。
【００１７】
複数の布団掛け棒１０は、複数の基台２０のそれぞれに対応して設けられる。複数の布団掛け棒１０のそれぞれは、対応する基台２０の上面からコの字状に立設される。布団掛け棒１０は、布団掛け部１０１及び１０２と、２つの柱状部１０３とを有する。コの字状とは、上方（Ｚ軸プラス方向）へ延びる２つの柱状部１０３と、２つの柱状部１０３の上端で２つの柱状部１０３を繋ぐようにＸ軸方向に延びる布団掛け部１０１とからなる形状である。複数の布団掛け棒１０は、２つの柱状部１０３の下端のみが基台２０に接続され、その他の箇所は他の部材に接続されない片持ち構造を有する。複数の布団掛け棒１０のそれぞれは、コの字により構成される面が互いに対向するように配置される。言い換えると、複数の布団掛け棒１０のそれぞれは、コの字により構成される面同士が平行となるように並立している。布団掛け棒１０は、布団掛け部１０１に加えて、２つの柱状部１０３の中央付近で２つの柱状部１０３を繋ぐようにＸ軸方向に延びる布団掛け部１０２を有する。２つの柱状部１０３の高さは、特に限定されず、布団類収納装置１が収納される場所に応じて設計される。例えば、布団類収納装置１が押し入れの下段に収納される場合には、２つの柱状部１０３の高さは、押し入れの下段の高さよりも低くなるように設計される。また、例えば、布団類収納装置１がクローゼットに収納される場合には、２つの柱状部１０３の高さは、クローゼットの高さよりも低くなるように設計される。なお、ここでは、複数の布団掛け棒１０の高さは、それぞれ同じであるが、同じでなくてもよい。
【００１８】
布団掛け棒１０には布団類を掛けることができる。布団掛け棒１０が２つの布団掛け部１０１及び１０２を有することで、２つの布団類を２段に分けて１つの布団掛け棒１０に掛けることができる。また、布団掛け棒１０が布団掛け部１０２を有することで、布団掛け棒１０の強度を向上させることができる。布団類は、布団掛け部１０１又は１０２においてＵ字状に折り曲げられて布団掛け棒１０に掛けられる。なお、布団掛け棒１０は布団掛け部１０２を有するが、布団掛け部１０２を有していなくてもよい。また、布団掛け棒１０は、３つ以上の布団掛け部を有していてもよい。
【００１９】
複数の基台２０は、長尺な板形状（例えばＸ軸方向に長い板形状）を有し、当該長尺な板形状の短手方向である横方向（Ｙ軸方向）に並べられている。横方向は、言い換えると、基台２０の長尺な板形状の長手方向と垂直な方向であり、かつ、当該長尺な板形状の面と平行な方向である。なお、上述したように、複数の布団掛け棒１０は、複数の基台２０のそれぞれに対応して設けられるため、複数の布団掛け棒１０についても、横方向に並べられる。
【００２０】
複数の車輪２６は、複数の基台２０のうちの少なくとも２つの基台２０の下面に設けられる。複数の車輪２６は、例えば、複数の基台２０のうち、横方向における両端部に位置する２つの基台２０（後述する固定基台２１）の下面に設けられる。例えば、Ｙ軸プラス側の固定基台２１に２つの車輪２６が取り付けられ、Ｙ軸マイナス側の固定基台２１に２つの車輪２６が取り付けられる。これにより、布団類収納装置１を移動させることができ、図３に示されるように、布団類収納装置１を押し入れ等に収納できる。また、複数の車輪２６のそれぞれにストッパーが設けられていてもよい。これにより、布団掛け棒１０に布団類が掛けられる際に、ストッパーによって複数の車輪２６が移動しないようにすることができ、布団掛け棒１０に布団類を安定して掛けることができる。
【００２１】
図３は、実施の形態に係る布団類収納装置１が押し入れに収納された状態を示す図である。布団類収納装置１は、布団掛け棒１０に布団類を掛けたまま押し入れ等に収納することができ、また、押し入れ等から取り出すことができる。
【００２２】
個々の布団類が幾重かに折り畳んで積み重ねて押し入れ等に収納される場合には、特定の布団類を取り出すために、特定の布団類に重なっている他の布団類をいったん取り出すという手間がかかる。これに対して、布団類収納装置１が使用されることで、布団類収納装置１自体を押し入れ等から取り出し、それぞれ個別に布団掛け棒１０に掛けられた複数の布団類のうちから、特定の布団類を容易に取り出すことができる。
【００２３】
また、個々の布団類が幾重かに折り畳んで積み重ねて押し入れ等に収納される場合には、折り畳んで積み重ねられた布団類周辺の通気性が悪く、湿気が溜まりカビが生える等、不衛生となる場合がある。これに対して、布団類収納装置１が使用されることで、それぞれ個別に布団掛け棒１０に掛けられた複数の布団類の間の通気性を確保でき、また、各布団類についてもＵ字状に折り曲げられて布団掛け棒１０に掛けられるため、Ｕ字状に折り曲げられた布団類の対向する面の間に空間ができ、当該空間においても通気性を確保できる。
【００２４】
また、個々の布団類が幾重かに折り畳んで積み重ねて押し入れ等に収納される場合には、押し入れ等を掃除する際に、全ての布団類を運び出すのに手間がかかる。また、一部の布団類を出し入れする場合であっても、腰をかがめる必要があり重労働となる。特に、旅館等では、布団類を出し入れする回数が膨大となっている。また、シーツ又は毛布は柔らかいため、折り畳まれた状態で運び出すのが難しく、運び出す際に折り畳まれて整えられた形状がくずれてしまうことがある。これに対して、布団類収納装置１が使用されることで、布団掛け棒１０に掛けられた布団類を、形状がくずれないまま（言い換えると、布団掛け棒１０に掛けられた状態のまま）、腰を何度もかがめることを要さずに即座に運び出すことができる。
【００２５】
また、近年、花粉又はＰＭ（粒子状物質）等の影響を受けないように、布団類を室内で干すことが多くなってきている。これに対して、布団類収納装置１が使用されることで、布団類を掛けたまま布団類収納装置１を窓際等の太陽光の当たる場所に移動させることで、布団類収納装置１を布団類干し装置として利用でき、布団類を簡単に室内で干すことができる。また、布団類周辺の通気性を確保したまま布団類を干すことができる。
【００２６】
複数の基台２０のうちの少なくとも１つは、横方向にスライド自在となっているスライド基台２２である。例えば、複数の基台２０のうち、横方向における両端部に位置する２つの基台２０は、スライド自在となっていない固定基台２１であり、横方向における２つの基台２０（固定基台２１）の間に位置する基台２０は、スライド基台２２である。ここでは、複数の基台２０のうち３つがスライド基台２２である。なお、スライド基台２２の数は、１つ、２つ又は４つ以上であってもよい。なお、固定基台２１の上面からコの字状に立設されている布団掛け棒１０を固定布団掛け棒１１とも呼び、スライド基台２２の上面からコの字状に立設されている布団掛け棒１０をスライド布団掛け棒１２とも呼ぶ。固定布団掛け棒１１は、固定基台２１に対応して設けられ、スライド布団掛け棒１２はスライド基台２２に対応して設けられる。スライド基台２２がスライドすることで、スライド基台２２上に設けられたスライド布団掛け棒１２もスライド基台２２に合わせてスライドする。
【００２７】
固定基台２１は、固定布団掛け棒１１を固定するための部材であり、上面に固定布団掛け棒１１が接続される。スライド基台２２は、スライド布団掛け棒１２を固定するための部材であり、上面にスライド布団掛け棒１２が接続される。
【００２８】
複数の支持棒２５は、横方向に延び、複数の基台２０を下方から支持する。例えば、布団類収納装置１は、複数の支持棒２５として、４つの支持棒２５を備える。４つの支持棒２５は、Ｘ軸方向に並べられて配置される。４つの支持棒２５のうち、Ｘ軸方向の両端部に位置する２つの支持棒２５（固定棒２４とも呼ぶ）は、固定基台２１を下方から支持し、また、固定基台２１を固定する。２つの固定基台２１と２つの固定棒２４とが接続されることで、四角形の枠形状が形成される。４つの支持棒２５のうち、Ｘ軸方向における２つの固定棒２４の間に位置する２つの支持棒（レール２３とも呼ぶ）は、スライド基台２２を下方から支持する。レール２３は、一端が一方の固定基台２１（例えばＹ軸プラス側の固定基台２１）に接続され、他端が他方の固定基台２１（例えばＹ軸マイナス側の固定基台２１）に接続されて、Ｙ軸方向に延びる部材である。レール２３は、例えば、円柱形状を有する。
【００２９】
スライド基台２２は、複数の支持棒２５のうちの１つの支持棒２５（例えばレール２３）上を転がる少なくとも１つの転がり部材を介して、当該１つの支持棒２５（レール２３）に支持される。転がり部材は、例えば、スライド用車輪２２１である。例えば、図２に示されるように、スライド基台２２は、複数の支持棒２５のうちの１つの支持棒２５（レール２３）上を移動する２つのスライド用車輪２２１を介して、当該１つの支持棒２５（レール２３）に支持される。例えば、２つのスライド用車輪２２１は、スライド基台２２を上面視したときに、スライド基台２２を横方向に二等分する仮想線（図２における一点鎖線）に対して対称に設けられる。
【００３０】
また、スライド基台２２は、さらに、複数の支持棒２５のうちの他の１つの支持棒２５（他のレール２３）上を移動する少なくとも１つのスライド用車輪２２１を介して、当該他の１つの支持棒２５（他のレール２３）に支持されてもよい。つまり、スライド基台２２は、２つ以上のレール２３に支持され、２つ以上のレール２３のそれぞれについて、１つ以上のスライド用車輪２２１を介して支持されてもよい。スライド用車輪２２１及びその周辺の部材の構成について、図４Ａ及び図４Ｂを用いて説明する。
【００３１】
図４Ａは、実施の形態１に係るスライド用車輪２２１の構成の一例を示す上面図である。なお、図４Ａでは、車輪固定部２２２も示している。
【００３２】
図４Ｂは、実施の形態１に係るスライド用車輪２２１の構成の一例を示す側面図である。なお、図４Ｂでは、車輪固定部２２２及び脱輪抑制部２２３も示している。
【００３３】
車輪固定部２２２は、その上面がスライド基台２２本体の下面に取り付けられており、また、スライド用車輪２２１は、車輪固定部２２２に固定されている。これにより、スライド用車輪２２１がレール２３上を移動することで、スライド用車輪２２１を固定している車輪固定部２２２が取り付けられたスライド基台２２がレール２３に沿ってスライド自在となる。なお、スライド用車輪２２１がレール２３から脱輪しないように、脱輪抑制部２２３が設けられている。脱輪抑制部２２３は、車輪固定部２２２の下面に取り付けられており、レール２３の下方（スライド用車輪２２１が嵌っている側とは反対側）を覆う形状を有する。これにより、スライド用車輪２２１が脱輪しそうになって、車輪固定部２２２（スライド基台２２）ひいてはスライド布団掛け棒１２が傾いたときに、脱輪抑制部２２３がレール２３に引っかかって脱輪を抑制することができる。
【００３４】
スライド用車輪２２１は、図４Ａ及び図４Ｂに示されるように、例えば、中央がくびれた形状（ディアボロ（独楽の一種）のような形状）を有する。このくびれた部分がレール２３の円柱形状に対応しており、レール２３とスライド用車輪２２１とが嵌って、スライド用車輪２２１がレール２３上をスムーズに移動可能となっている。なお、スライド用車輪２２１及びレール２３の形状は、特に限定されない。例えば、スライド用車輪２２１がタイヤ形状であってもよく、レール２３にスライド用車輪２２１が嵌るような溝が設けられていてもよい。
【００３５】
なお、布団類収納装置１を構成する各部材の材料は特に限定されない。布団類収納装置１には、ある程度の重量を有する布団類が掛けられるため、各部材は、ある程度の強度を有しているとよく、各部材は、例えば、金属であってもよい。
【００３６】
次に、布団類収納装置１の使用状態について、図５を用いて説明する。
【００３７】
図５は、実施の形態に係る布団類収納装置１の使用状態を説明するための側面図である。図５では、各布団掛け棒１０に布団類が掛けられた状態を示している。
【００３８】
図５に示されるように、各布団掛け棒１０の間隔ｄ１〜ｄ４が等間隔となっていないことがわかる。これは、スライド布団掛け棒１２が設けられたスライド基台２２が複数の布団掛け棒１０の相互間隔を調整可能とするように、横方向にスライド自在となっているためである。布団類収納装置１のユーザは、スライド布団掛け棒１２を手動で操作することで、スライド布団掛け棒１２が設けられたスライド基台２２をスライドさせ、複数の布団掛け棒１０の相互間隔を調整することができる。これにより、布団類の厚みに合わせて間隔を変えて使用することができる。例えば、厚い布団類が掛けられる場合には、間隔ｄ２のように、布団掛け棒１０の相互間隔を広くすることができる。
【００３９】
なお、布団類収納装置１は、さらに、紫外線発生器を備えていてもよい。これについて、実施の形態の変形例として、図６を用いて説明する。
【００４０】
図６は、実施の形態の変形例に係る布団類収納装置１の構成の一例を示す斜視図である。
【００４１】
布団類収納装置１は、例えば、複数の布団掛け棒１０のうちの少なくとも１つの布団掛け棒１０におけるコの字によって囲まれた空間に紫外線を照射する紫外線発生器３０を備えていてもよい。例えば、紫外線発生器３０は、複数の基台２０のうちの少なくとも１つの基台２０の上面に設けられてもよい。例えば、布団類収納装置１は、複数の布団掛け棒１０のそれぞれに対応するように紫外線発生器３０を複数備え、複数の紫外線発生器３０は、それぞれ、対応する布団掛け棒１０におけるコの字によって囲まれた空間に紫外線を照射する。ここでは、紫外線発生器３０を模式的に直方体で示しているが、紫外線発生器３０は、ランプ型であってもよいし、ＬＥＤ型であってもよい。コの字によって囲まれた空間とは、２つの柱状部１０３と、布団掛け部１０１とで囲まれた空間である。この空間は、布団掛け棒１０に布団類が掛けられたときに、布団掛け棒１０によってＵ字状に折り曲げられた布団類の対向する面の間にできる空間となる。
【００４２】
紫外線発生器３０は、固定布団掛け棒１１については、２つの柱状部１０３の間における固定基台２１の上面に取り付けられ、スライド布団掛け棒１２については、２つの柱状部１０３の間におけるスライド基台２２の上面に取り付けられる。なお、紫外線発生器３０は、柱状部１０３に取り付けられて、コの字によって囲まれた空間（側方）に紫外線を照射してもよい。また、紫外線発生器３０は、布団掛け部１０１に取り付けられて、コの字によって囲まれた空間（下方）に紫外線を照射してもよい。
【００４３】
例えば、紫外線発生器３０は、タイマーにより自動でオン又はオフする機能を有していてもよい。当該機能は、紫外線発生器３０がマイコン等により制御されることで、実現できる。
【００４４】
例えば、紫外線発生器３０は、電池駆動であってもよい。押し入れ等にコンセント等の電力を供給する装置がなくても、押し入れ等の中で紫外線発生器３０を動作させることができるためである。
【００４５】
以上説明したように、本実施の形態に係る布団類収納装置１は、長尺な板形状を有し、当該長尺な板形状の短手方向である横方向に並べられた複数の基台２０と、複数の基台２０のそれぞれに対応して設けられた複数の布団掛け棒１０と、横方向に延び、複数の基台２０を下方から支持する複数の支持棒２５と、複数の基台２０のうちの少なくとも２つの基台２０の下面に設けられた複数の車輪２６と、を備える。複数の布団掛け棒１０のそれぞれは、対応する基台２０の上面からコの字状に立設され、コの字により構成される面が互いに対向するように配置され、複数の基台２０のうちの少なくとも１つは、横方向にスライド自在となっているスライド基台２２である。
【００４６】
スライド基台２２は、横方向、つまり、複数の基台２０が並べられた方向にスライド自在となっているため、布団掛け棒１０に掛けられる布団類の厚みに応じて、スライド基台２２上に設けられた布団掛け棒１０（スライド布団掛け棒１２）を自在にスライドさせて、複数の布団掛け棒１０の相互間隔を自在に調整することができる。このため、様々な厚みの布団類を布団掛け棒１０に容易に掛けることができ、また、布団類間の通気性も確保できる。また、布団類収納装置１には車輪２６が設けられているため、様々な厚みの布団類を布団掛け棒１０に掛けた後は、布団類を布団掛け棒１０に掛けたまま布団類収納装置１ごと押し入れ等に収納できる。このように、本実施の形態に係る布団類収納装置１によれば、様々な厚みの布団類を容易に収納できる。
【００４７】
また、スライド基台２２は、複数の支持棒２５のうちの１つの支持棒２５上を転がる少なくとも１つの転がり部材を介して、当該１つの支持棒２５に支持されてもよい。
【００４８】
布団掛け棒１０には、ある程度の重量を有する布団類が掛けられるため、スライド基台２２のスライドに転がり部材を用いない場合と比べて、転がり部材を用いる場合には、スライドをスムーズなものとすることができる。例えば、スライド基台２２のスライドに転がり部材を用いないものとして、１つの支持棒２５（レール２３）の外周に摺動自在に嵌合されるポールを用いて、当該ポールにスライド基台２２を取り付けて当該ポールをスライドさせるものが考えられる。この場合、重力方向（Ｚ軸マイナス方向）に布団類の重量による力が働いて、水平方向（Ｙ軸方向）にスライド基台２２をスライドさせる際に、当該力によるすべり摩擦がレール２３とポールとの間に発生しスライド基台２２をスライドしにくくなる。一方で、本実施の形態のように、転がり部材が用いられることで、スライド基台２２に働く摩擦を、すべり摩擦よりもはるかに小さい転がり摩擦とすることができる。したがって、スライド基台２２のスライドをよりスムーズなものとすることができる。
【００４９】
また、転がり部材は、スライド用車輪２２１であってもよい。
【００５０】
一般的には、車輪は複雑な機構を有しておらず、簡単に取り外すことができる。このため、スライド基台２２をスライドさせるための転がり部材を容易に実現でき、また、布団類収納装置１のメンテナンス又は修理等が容易となる。
【００５１】
また、スライド基台２２は、複数の支持棒２５のうちの１つの支持棒２５上を移動する２つのスライド用車輪２２１を介して、当該１つの支持棒２５に支持されてもよい。
【００５２】
これによれば、スライド基台２２が、１つのレール２３に対して２つのスライド用車輪２２１を介して支持されるため、スライド基台２２は、２点でレール２３に支持されてスライド布団掛け棒１２に対して安定した土台となり、スライド布団掛け棒１２を安定して起立させることができる。例えば、スライド布団掛け棒１２に対して、スライド基台２２をスライドさせる方向（水平方向：Ｙ軸方向）に力を掛けた際にスライド布団掛け棒１２がぐらつく（傾く）場合のように、スライド布団掛け棒１２が安定して起立していない場合、スライド布団掛け棒１２が傾いた状態でスライド基台２２がスライドすることになる。この場合、例えば水平方向にかけた力は、スライド布団掛け棒１２が傾いている分、重力方向（Ｚ軸マイナス方向）の力に変換され、水平方向の力が弱くなってしまい、スライド基台２２をスムーズにスライドさせにくくなる。一方で、スライド布団掛け棒１２が安定して起立している場合、スライド基台２２をスライドさせる際に、スライド布団掛け棒１２にかけた力を効率良くスライド基台２２をスライドさせるための力に変換することができる。したがって、スライド基台２２のスライドをよりスムーズなものとすることができる。
【００５３】
また、２つのスライド用車輪２２１は、スライド基台２２を上面視したときに、スライド基台２２を横方向に二等分する仮想線に対して対称に設けられてもよい。
【００５４】
これによれば、スライド基台２２がレール２３上で支持される点が偏らないため、スライド基台２２はスライド布団掛け棒１２に対して安定した土台となり、スライド布団掛け棒１２を安定して起立させることができる。
【００５５】
また、スライド基台２２は、複数の支持棒２５のうちの１つの支持棒２５上を移動する少なくとも１つのスライド用車輪２２１を介して、当該１つの支持棒２５に支持され、複数の支持棒２５のうちの他の１つの支持棒２５上を移動する少なくとも１つのスライド用車輪２２１を介して、当該他の１つの支持棒２５に支持されてもよい。
【００５６】
これによれば、スライド基台２２が、２つのレール２３のそれぞれに対して少なくとも１つのスライド用車輪２２１によって支えられるため、スライド基台２２を安定して起立させることができる。この場合も、スライド基台２２をスライドさせる際に、スライド布団掛け棒１２にかけた力を効率良くスライド基台２２をスライドさせるための力に変換することができ、スライド基台２２のスライドをよりスムーズなものとすることができる。特に、スライド基台２２が、２つのレール２３のそれぞれに対して２つのスライド用車輪２２１によって支持される場合（例えば、図４Ａ等に示されるように４点で支えられる場合）には、スライド布団掛け棒１２をさらに安定して起立させることができ、スライド基台２２のスライドをさらにスムーズなものとすることができる。
【００５７】
また、複数の布団掛け棒１０は、片持ち構造を有していてもよい。
【００５８】
これによれば、布団掛け棒１０は、その下方のみが基台２０に接続されており、その上方は、他の部材に接続されていないため、布団類を布団掛け棒１０に掛けやすくなる。
【００５９】
また、複数の基台２０のうち、横方向における両端部に位置する２つの基台２０は、スライド自在となっていない固定基台２１であり、横方向における２つの基台の間に位置する基台は、スライド基台２２であってもよい。
【００６０】
これによれば、固定基台２１に設けられた布団掛け棒１０（固定布団掛け棒１１）に対して横方向に力をかけても、固定基台２１はスライドしない。したがって、布団類収納装置１を移動させる際に、複数の基台２０のうちの横方向における両端部に位置する２つの基台２０のいずれかに設けられた固定布団掛け棒１１に力をかけることで、布団類収納装置１を容易に移動させることができる。
【００６１】
また、布団類収納装置１は、さらに、複数の布団掛け棒１０のうちの少なくとも１つの布団掛け棒１０におけるコの字によって囲まれた空間に紫外線を照射する紫外線発生器３０を備えていてもよい。
【００６２】
例えば、個々の布団類を幾重かに折り畳んで積み重ねて収納された場合、折り畳んで積み重ねられた布団類周辺の通気性が悪く、湿気が溜まりカビが生える等、不衛生となる場合がある。このような場合に、紫外線発生器を押し入れ等に設けたとしても、布団類は折り畳んで積み重ねられているため、局所的にしか布団類を除菌することができない。これに対して、布団掛け棒１０に布団類を掛けて収納した場合、布団類はＵ字状に掛けられることになり、布団掛け棒１０のコの字によって囲まれた空間（言い換えると、布団掛け棒１０によってＵ字状に折り曲げられた布団類の対向する面の間の空間）が存在する。布団掛け棒１０がコの字状であることでできる当該空間に対して、紫外線発生器３０から紫外線を照射することで、布団類を広範囲にわたって除菌することができる。つまり、布団掛け棒１０がコの字状であることでできる当該空間を紫外線による除菌のために有効に活用することができる。例えば、紫外線発生器３０を動作させて、布団類収納装置１に布団類を掛けることで、天気又は季節等に関わらず屋内で布団類を干しながら、紫外線発生器３０による紫外線によって、カビ、ダニ及び細菌等のハウスダストを除菌することができる。また、紫外線によって、数秒単位でハウスダストを除菌できるため、屋内で布団類を干しながらハウスダストを短時間で除菌することができる。
【００６３】
また、紫外線発生器３０は、複数の基台２０のうちの少なくとも１つの基台２０の上面に設けられてもよい。
【００６４】
人が布団類を使用するとき（例えば、寝るために使うとき）、布団類は、人の頭が位置する箇所及び人の足が位置する箇所が汚れやすい。言い換えると、布団類の両端が汚れやすい。これに対して、布団掛け棒１０に布団類を掛けて収納した場合、布団類はＵ字状に掛けられることになり、布団類の両端は、基台２０付近の基台２０上方に位置することになる。そこで、紫外線発生器３０が基台２０に設けられることで、汚れやすい布団類の両端を効果的に除菌することができる。
【００６５】
また、布団類収納装置１は、複数の布団掛け棒１０のそれぞれに対応するように紫外線発生器３０を複数備え、複数の紫外線発生器３０は、それぞれ、対応する布団掛け棒１０におけるコの字によって囲まれた空間に紫外線を照射してもよい。
【００６６】
これによれば、複数の布団掛け棒１０のそれぞれごとに、掛けられた布団類を紫外線発生器３０によって除菌することができる。
【００６７】
また、紫外線発生器３０は、タイマーにより自動でオン又はオフする機能を有していてもよい。
【００６８】
これによれば、布団類収納装置１を用いて押し入れ等に収納された布団類の除菌を特定の時刻に紫外線発生器３０を自動でオンして行ったり、紫外線発生器３０を自動でオフして除菌を終了したりすることができる。例えば、紫外線発生器３０のオフのし忘れを抑制でき、また、押し入れ等の中の布団類収納装置１に設けられた紫外線発生器３０をわざわざオンしにいく手間を省くことができる。
【００６９】
（その他の実施の形態）
以上、実施の形態に係る布団類収納装置１について説明したが、本発明は、上記実施の形態に限定されるものではない。
【００７０】
例えば、上記実施の形態では、転がり部材がスライド用車輪２２１である例について説明したが、転がり部材はスライド用車輪２２１でなくてもよい。例えば、転がり部材は、ベアリングボールであってもよい。例えば、レール２３は、横方向（Ｙ軸方向）に溝が形成された板形状を有していてもよく、複数のベアリングボールが溝内を転がるように溝に配置されていてもよい。例えば、スライド基台２２は、スライド基台２２の下面が複数のベアリングボールに接触しながら、複数のベアリングボールを介してスライドする。例えば、スライド基台２２が複数設けられる場合には、レール２３には、スライド基台２２ごとに複数のベアリングボールが設けられる。
【００７１】
例えば、上記実施の形態では、転がり部材によって、スライド基台２２がスライド自在となっていると説明したが、スライド基台２２をスライド自在とするための機構はこれに限らない。
【００７２】
また、例えば、上記実施の形態では、布団類収納装置１は、２つのレール２３を有すると説明したが、１つのレール２３のみを有していてもよい。
【００７３】
また、例えば、上記実施の形態では、布団類収納装置１は、複数の布団掛け棒１０のそれぞれに対応するように紫外線発生器３０を複数備えていてもよいと説明したが、複数の布団掛け棒１０のうちの一部の布団掛け棒１０に対応するように紫外線発生器３０を備えていてもよい。つまり、複数の布団掛け棒１０のそれぞれごとに紫外線発生器３０が設けられていなくてもよい。
【００７４】
また、例えば、上記実施の形態では、紫外線発生器３０は、タイマーにより自動でオン又はオフする機能を有していてもよいと説明したが、タイマーにより自動でオン又はオフする機能を有していなくてもよい。
【００７５】
また、例えば、布団類収納装置１は、複数の車輪２６を回転させるための電動機（モータ等）を備えていてもよい。例えば、布団類収納装置１は、電動アシスト機能を有していてもよい。この場合、人が布団類収納装置１を移動させる際に、あまり力をかけなくても容易に布団類収納装置１を移動させることができる。
【００７６】
また、例えば、布団類収納装置１は、スライド基台２２をスライド自在とさせるための電動機（モータ等）を備えていてもよい。例えば、電動機によって、スライド基台２２自体が移動させられたり、スライド用車輪２２１が回転させられたりしてもよい。例えば、スライド布団掛け棒１２に重い布団類が掛けられた場合であっても、当該電動機によって、人の手を介さず容易にスライド基台２２をスライドさせることができる。
【００７７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００７８】
本発明は、布団類を押し入れ等に収納するための装置に適用できる。
【符号の説明】
【００７９】
１  布団類収納装置
１０  布団掛け棒
１１  固定布団掛け棒
１２  スライド布団掛け棒
２０  基台
２１  固定基台
２２  スライド基台
２３  レール
２４  固定棒
２５  支持棒
２６  車輪
３０  紫外線発生器
１０１、１０２  布団掛け部
１０３  柱状部
２２１  スライド用車輪
２２２  車輪固定部
２２３  脱輪抑制部
【要約】
【課題】様々な厚みの布団類を容易に収納できる布団類収納装置を提供する。
【解決手段】布団類収納装置１は、長尺な板形状を有し、当該長尺な板形状の短手方向である横方向に並べられた複数の基台２０と、複数の基台２０のそれぞれに対応して設けられた複数の布団掛け棒１０と、横方向に延び、複数の基台２０を下方から支持する複数の支持棒２５と、複数の基台２０のうちの少なくとも２つの基台２０の下面に設けられた複数の車輪２６と、を備え、複数の布団掛け棒１０のそれぞれは、対応する基台２０の上面からコの字状に立設され、コの字により構成される面が互いに対向するように配置され、複数の基台２０のうちの少なくとも１つは、横方向にスライド自在となっているスライド基台２２である。
【選択図】図１【図１】
0006621103.tif 000002
【図２】
0006621103.tif 000003
【図３】
0006621103.tif 000004
【図４Ａ】
0006621103.tif 000005
【図４Ｂ】
0006621103.tif 000006
【図５】
0006621103.tif 000007
【図６】
0006621103.tif 000008